(57)【特許請求の範囲】
【請求項１】
架台上に設置された筒部と、前記筒部に取り付けられたノズルとを備えた海苔網洗浄装置であって、
前記筒部には、一方端部に海苔網入口が設けられ、他方端部に海苔網出口が設けられており、
前記ノズルは、前記筒部内における海苔網が移動する方向に対して逆向きに噴流を噴出すべく、前記筒部の周囲に設けられ、前記ノズルからの噴流は、前記筒部に穿孔された孔部から、前記筒部内に噴出されており、
前記筒部の一方端部に設けられた前記海苔網入口の下方位置に、前記筒部と連通した噴流受け部が設けられ、前記噴流受け部が、前記ノズルからの噴流や前記海苔網の付着物を排出する出口に連通されている
ことを特徴とする海苔網洗浄装置。
【請求項２】
架台上に設置された筒部と、前記筒部に取り付けられたノズルとを備えた海苔網洗浄装置であって、
前記筒部には、一方端部に海苔網入口が設けられ、他方端部に海苔網出口が設けられており、
前記海苔網入口に対して前記海苔網出口の方が高くなるように、前記筒部が、前記架台上にて傾斜して設けられており、
前記ノズルは、前記筒部内における海苔網が移動する方向に対して逆向きに噴流を噴出すべく、前記筒部の周囲に設けられ、前記ノズルからの噴流は、前記筒部に穿孔された孔部から、前記筒部内に噴出されており、
前記筒部の一方端部に設けられた前記海苔網入口の下方位置に、前記筒部と連通した噴流受け部が設けられ、前記噴流受け部が、前記ノズルからの噴流や前記海苔網の付着物を排出する出口に連通されている
ことを特徴とする海苔網洗浄装置。
【請求項３】
架台上に設置された筒部と、前記筒部に取り付けられたノズルとを備えた海苔網洗浄装置であって、
前記筒部には、一方端部に海苔網入口が設けられ、他方端部に海苔網出口が設けられており、
前記ノズルは、前記筒部内における海苔網が移動する方向に対して逆向きに噴流を噴出すべく、前記筒部の周囲に設けられ、前記ノズルからの噴流は、前記筒部に穿孔された孔部から、前記筒部内に噴出されており、
前記筒部の一方端部に設けられた前記海苔網入口の下方位置に、前記筒部と連通した噴流受け部が設けられ、前記噴流受け部が、前記ノズルからの噴流や前記海苔網の付着物を排出する出口に連通されており、
前記噴流受け部の外側上部には、前記噴流受け部の上方に位置する前記海苔網入口から前記筒部内に前記海苔網を入れる際に、前記海苔網を案内するローラーが設けられている
ことを特徴とする海苔網洗浄装置。
【発明の詳細な説明】
【０００１】
【発明の属する技術分野】
本発明は、船上で海苔網を洗浄する装置、及び、洗浄の結果派生される海苔葉やその他の付着物の濾し取り装置に関する。
【０００２】
【従来の技術】
従来、シーズン終了などで撤収する海苔網は、海中より直接そのまま船上に取り込むか、成長して伸びている海苔葉等を鎌などの道具を使うなどして除去し船上に取り込んでいた。船上に取り込んだ海苔網は陸上に搬送して、海苔葉やその他の付着物の付いたまま川の土手や、空き地、田畑などに放置し、海苔葉やその他の付着物の腐食を待った後、家庭用洗濯機などで洗って乾燥させ、再利用に備え保管していた。
【０００３】
【発明が解決しようとする課題】
従来の処理方法では、船上へ海苔網を撤収する際、海苔葉やその他の付着物の成長した長い部分を切除し、直接海中投棄をする事が往々にしてあった。そのためそれが刺し網漁業者の網に絡みつくなどの苦情が出ていた。また撤収した海苔網を陸上へ搬送し川の土手や空き地、田畑などへ放置しておくと、海苔葉やその他の付着物は腐敗する。その腐敗臭に対して付近の住民から苦情が出るという問題点があった。
【０００４】
本発明は、上記の従来の問題を解消するため、船上で海苔網を撤収するとき、海苔葉やその他の付着物が海中へ散乱しないようにする事、撤収した海苔網を陸上（川の土手、空き地、田畑など）へあげたとき、その海苔網に腐敗臭の原因となる海苔葉やその他の付着物が残存しないようにする事、の二点を主な課題とした。
【０００５】
【課題を解決するための手段】
本発明は、シーズン終了などで海苔網を海中より船上へ撤収する場合等に使用するが、
○海苔網の洗浄を筒部（ノズルより噴流が射出されるところ）内で行い、それにより派生する除去物（海苔葉やその他の付着物）を噴流のエネルギーで海苔網の移動方向に対して逆向きに噴流受け部へ向けて排出する。
○噴流受け部へ排出された除去物は濾しとり装置部へ移送しそこで処理する。等の特徴があり次の部分より構成される。
▲１▼架台    筒部が設置される台。
▲２▼筒部    ノズルの噴流を使い海苔網から不要な海苔葉やその他の付着物を除去する部分。
▲３▼ノズル    筒部に取り付け噴流を射出する。
▲４▼噴流受け部    筒部の海苔網入口に接続して設け、ノズルから出る噴流の運動方向を変える。
▲５▼移送ホース    海苔網より除去された海苔葉やその他の付着物を噴流受け部から濾し取り装置部へ移す。
▲６▼濾し取り装置部    不要物の海苔葉やその他の付着物を濾し取る複数の網籠の組み合わせ。
【０００６】
筒部を据え付ける架台は、形状材質ともに限定されないが、材質は例えば腐食に強いステンレス製が好ましい。架台の高さも特に限定されないが船の甲板面上より１，２００ｍｍ程度が好ましい。
【０００７】
筒部は海苔網を洗浄するところであるが、ここに筒を使用したことによりノズルからの噴流エネルギーを外部に漏らすことなく有効に利用することが出来る。
○筒部の海苔網入口に対して筒部の海苔網出口が若干高めになるように筒部を架台上面に設置するが、特にその傾斜角は限定されず、例えば船の横揺れ等を考慮して架台上面より１０度程度の勾配が好ましい。
○筒部の材質は特に限定されないが、例としてステンレス製が好ましい。
○筒部の大きさは特に限定されないが、例えば内径２００ｍｍ程度、長さは１，０００ｍｍ程度とするのが好ましい。
○筒部の断面形状は特に限定されず、円のほか、多角形、楕円形など形状は問わない。
○筒部の形状は特に限定されず、例えば海苔網が入りやすいように筒部の海苔網入口を大きくしラッパ形にも出来る。
○筒部の内部には洗浄の効果を高めるために、後述の「発明の実施の形態」で述べるような隘路などを設けることができる。
【０００８】
○筒部に取り付けるノズルは、海苔網から不要な海苔葉やその他の付着物を効率よく落とす位置、角度、個数を考慮して取り付けるが、それとともに海苔網から分離した海苔葉やその他の付着物を、噴流受け部へ向けてスムーズに排出することも考慮に入れる。（ノズルの取り付け位置、取り付け角度、設置個数は特に限定されない。）
○ノズルの取り付け位置、角度、個数などを調整して、筒内に螺旋状の噴流の流れをつくり、海苔葉やその他の付着物を落とすことも出来る。
【０００９】
海苔葉やその他の付着物のついた海苔網が筒部の海苔網入口より筒部の海苔網出口まで移動する間にノズルからの噴流の勢いで海苔葉やその他の付着物が除去され、その除去物は海苔網の移動方向に対して逆方向へ排出される。この噴流と除去物を受け止めて濾し取り装置部へ送るために噴流受け部を設ける。
○この噴流受け部の形状は特に限定されないが、噴流の勢い及び海苔葉やその他の付着物を受け止めた後、これを効率よく濾し取り装置部へ送る形状が好ましい。例えば、噴流を直接受ける部分は曲線とし噴流のエネルギー消失を極力抑えて、分離した海苔葉やその他の付着物を濾し取り装置部へスムーズに移送する。
○噴流受け部の材質は特に限定されないが、例えば、衝撃に強く腐食にも強いステンレス製が好ましい。
○噴流受け部には海苔葉やその他の付着物のついた海苔網が海中より入ってくる開口部を設けるが、特にその位置及び大きさは限定されず、例えば噴流の勢いを受けにくい噴流受け部の上部に２００×２００ｍｍ程度の開口部を設けるのが好ましい。
○噴流受け部には、噴流の勢いとともに海苔葉やその他の付着物が濾し取り装置部へ移動するための出口を設けるが、特にこの取り付け位置は限定されず、例えば噴流受け部の下部が好ましい。
○噴流受け部には、海苔網が自重や摩擦などで移動困難になるの防ぐため必要な位置に必要数ローラーを取り付ける。
【００１０】
噴流受け部より濾し取り装置部へと不要な海苔葉やその他の付着物を移動させるが、この移送方法は特に限定されず、例えば海苔葉やその他の付着物の内部滞留を起こしにくく取り扱いも楽な内径８０ｍｍ程度の移送ホース（ビニールホース）が好ましい。
【００１１】
噴流受け部より移送ホース（ビニールホース）を通過した噴流水および海苔葉やその他の付着物は、濾し取り装置部へ入るが、この濾し取り装置部はホースよりの噴流水及び不要な海苔葉やその他の付着物を直接受ける網籠１個とその他の網籠複数個からなる。
○網籠の構造部材質及び網の材質は特に限定されず、例えば、衝撃に強く腐食にも強いステンレス製が好ましい。
○各網籠の網目の大きさは特に限定しないが、最小形状の網籠の網目が一番大きく、順次大きな形状の網籠になるにつれ網目が小さくなるようにする。これにより排水の流れがよくなる。
○網籠の数は特に限定しないが、海苔葉やその他の付着物の増減で変更する。
○網籠の形状および造りは特に限定しないが、噴流水の衝撃や、排水を考慮したものとする。その例として、形状は円筒形とし、その底面は１枚板張りとする。
周壁は３６０度に網を張り回して、スムーズな排水を促進する。
○移送ホース（ビニールホース）から直接噴流水などが入る最小形状の網籠は、移送ホース（ビニールホース）が入る部分を残して上面部も網を張る。
このようにして製作した網籠を図５のごとく組み合わせる。
組み合わせた網籠の最小形状の網籠に海苔葉やその他の付着物を含んだ噴流水を注ぐと、順次小さな形状の網籠から大きい形状の網籠へ水が流れ一番大きい形状の網籠より船の甲板上へ排水される。これにより、各々の網籠には網籠の網目の大きさに相当する海苔葉やその他の付着物が残る。尚、濾し取り装置部中、一番大きい形状の網籠は網以外の濾材を併用して浄水度を高める。
【００１２】
上記濾し取り装置部により、濾し取られた海苔葉やその他の付着物は、濾し取り装置部の近くに設置した遠心分離機（中古の家庭用洗濯機でもよい。）にかける。これにより、海苔葉やその他の付着物から大半の水分が消失し、これを袋などに詰めて陸上へ搬送する。陸上へ搬送した海苔葉やその他の付着物は直接田畑に施肥してもよく、また人家などから離れたところで一箇所に集めて、腐葉土化し、肥料としたり、産業廃棄物最終処分場で処分してもよい。
【００１３】
筒部内で海苔葉やその他の付着物を取り去った海苔網は陸上へ搬送し、乾燥後、倉庫等へ保管する。尚、海苔葉やその他の付着物の洗浄状況を見て、再度、本発明を使い船上又は陸上にて洗浄してもよい。
【００１４】
本発明は船に搭載して使用することを主目的としているが、本発明の応用として陸上（例えば川などのそば）でも十分に使用できるものである。
すなわち、本発明は、架台上に設置された筒部と、前記筒部に取り付けられたノズルとを備えた海苔網洗浄装置であって、前記ノズルからの噴流は、前記筒部内における海苔網が移動する方向に対して逆向きに噴出されることを特徴としている。
また、本発明にかかる海苔網洗浄装置は、前記筒部には海苔網入口と海苔網出口とが設けられており、前記筒部は、前記架台上にて、前記海苔網入口に対して前記海苔網出口が若干高めになるように設置されていることが好ましい。より具体的には、例えば、前記架台と前記筒部とが１０度傾いている構成が好ましい。
また、本発明は、架台上に設置された筒部と、前記筒部に取り付けられたノズルとを備えた海苔網洗浄装置であって、前記筒部には海苔網入口と海苔網出口とが設けられ、前記海苔網入口に接続して噴流受け部が設けられており、前記ノズルからの噴流は、前記筒部内における海苔網が移動する方向に対して逆向きに前記噴流受け部に対して噴出され、前記筒部は、前記架台上にて、前記海苔網入口に対して前記海苔網出口が若干高めになるように設置されていることを特徴としている。
より具体的には、本発明は、架台上に設置された筒部と、前記筒部に取り付けられたノズルとを備えた海苔網洗浄装置であって、前記筒部には、一方端部に海苔網入口が設けられ、他方端部に海苔網出口が設けられており、前記ノズルは、前記筒部内における海苔網が移動する方向に対して逆向きに噴流を噴出すべく、前記筒部の周囲に設けられ、前記ノズルからの噴流は、前記筒部に穿孔された孔部から、前記筒部内に噴出されており、前記筒部の一方端部に設けられた前記海苔網入口の下方位置に、前記筒部と連通した噴流受け部が設けられ、前記噴流受け部が、前記ノズルからの噴流や前記海苔網の付着物を排出する出口に連通されていることを特徴としている。
また、本発明は、架台上に設置された筒部と、前記筒部に取り付けられたノズルとを備えた海苔網洗浄装置であって、前記筒部には、一方端部に海苔網入口が設けられ、他方端部に海苔網出口が設けられており、前記海苔網入口に対して前記海苔網出口の方が高くなるように、前記筒部が、前記架台上にて傾斜して設けられており、前記ノズルは、前記筒部内における海苔網が移動する方向に対して逆向きに噴流を噴出すべく、前記筒部の周囲に設けられ、前記ノズルからの噴流は、前記筒部に穿孔された孔部から、前記筒部内に噴出されており、前記筒部の一方端部に設けられた前記海苔網入口の下方位置に、前記筒部と連通した噴流受け部が設けられ、前記噴流受け部が、前記ノズルからの噴流や前記海苔網の付着物を排出する出口に連通されていることを特徴としている。
さらに、本発明は、架台上に設置された筒部と、前記筒部に取り付けられたノズルとを備えた海苔網洗浄装置であって、前記筒部には、一方端部に海苔網入口が設けられ、他方端部に海苔網出口が設けられており、前記ノズルは、前記筒部内における海苔網が移動する方向に対して逆向きに噴流を噴出すべく、前記筒部の周囲に設けられ、前記ノズルからの噴流は、前記筒部に穿孔された孔部から、前記筒部内に噴出されており、前記筒部の一方端部に設けられた前記海苔網入口の下方位置に、前記筒部と連通した噴流受け部が設けられ、前記噴流受け部が、前記ノズルからの噴流や前記海苔網の付着物を排出する出口に連通されており、前記噴流受け部の外側上部には、前記噴流受け部の上方に位置する前記海苔網入口から前記筒部内に前記海苔網を入れる際に、前記海苔網を案内するローラーが設けられていることを特徴としている。
【００１５】
【発明の実施の形態】
次に本発明の「筒を利用した海苔網洗浄装置」の実施の一例を図１〜図５を用いて説明する。
【００１６】
架台１の上面に、筒部の海苔網入口▲ア▼に対して筒部の海苔網出口▲イ▼が若干高め（架台１上面と筒部３の仰角が１０度）になるように筒部３を設定する。
この筒部３の長さは１，０００ｍｍとし内径は２００ｍｍとする。
【００１７】
筒部の海苔網入口▲ア▼近くにノズル４，５を固定し、筒部の海苔網出口▲イ▼近くにノズル６，７を固定する。各ノズルは海苔葉やその他の付着物を効率よく取り除く最適の取り付けの他、海苔葉やその他の付着物を噴流受け部８に向かって排出するように取り付ける。
【００１８】
筒部３の中へ、鼓形の隘路▲ウ▼を設ける。この隘路▲ウ▼の有効長さは１５０ｍｍとし内径は１００ｍｍとする。この隘路を設置する目的は、流体力学ですでに証明されているように、管内を水が流れるとき定常流において単位時間に流れる流量はどの断面においても一定であり、流量は管の断面積×管内流速で決まるということを応用し、その隘路▲ウ▼の中を通る流体の速度を速くすることである。この隘路▲ウ▼によりノズル６，７からの噴流はさらに高速化し海苔網の洗浄がさらに促進される。また隘路▲ウ▼を設置することによりこの隘路▲ウ▼で海苔網の大幅な縦揺れ及び横揺れを抑制し、ノズル６の噴流を、移動してくる海苔網１１に対して的確に射出出来るようにすることも目的のひとつである。
隘路▲ウ▼内を通ることにより洗浄された海苔網は、この後ノズル６，７の噴流を直接受けて洗浄され筒部３外へ出る。
【００１９】
筒部の海苔網入口▲ア▼に接続して噴流受け部８を設ける。この噴流受け部８の上部に海苔葉やその他の付着物の付いた海苔網が筒部３に入り込むための開口▲エ▼を設ける。この開口▲エ▼の寸法は２００ｍｍ×２００ｍｍとする。噴流受け部８の下部には濾し取り装置部１０へ通じる噴流及び海苔葉やその他の付着物の出口を設ける。この出口は内径８０ｍｍとする。
【００２０】
噴流受け部８の下部に設けた出口に内径８０ｍｍの移送ホース（ビニールホース）９を接続し、それの片方の先端は濾し取り装置部１０の中で最小形状の網籠にさしこむ。
【００２１】
濾し取り装置部１０は円筒形の大小の網籠（図４）を図５のようにただ単に置いたものである。
網籠の組み合わせは大小４個からなり、各網籠に使用する網目の大きさは最小形状の網籠から順に２５メッシュ、１００メッシュ、２２５メッシュとし、最大形状の網籠は４００メッシュとして、この最大形状の網籠のみ網以外の濾材を併用する。
各網籠の高さは８００ｍｍ程度とし、外径は最小形状の網籠で６００ｍｍ、最大形状の網籠で１、２００ｍｍとする。
各網籠は、網を側面に３６０度張ったものであり、最小形状の網籠のみ移送ホース（ビニールホース）９がはいる開口部を除いて上方にも網を張る。
網籠の底面は、各網籠とも一枚板を張ったもので網は不要。
【００２２】
本発明の使用方法は、まず巻き取りローラー２を回転させることにより不要な海苔葉やその他の付着物の付いた海苔網１１を筒部３内で移動させ、これをノズル４，５，６，７で洗浄する。洗浄した海苔網は陸上へ搬送し乾燥させた後、保管する。
海苔網より分離した海苔葉やその他の付着物は噴流受け部８に排出された後、移送ホース（ビニールホース）９で濾し取り装置部１０へ送り込む。送り込んだ海苔葉やその他の付着物は網目の大きい網籠から網目の小さい網籠へ（最小形状の網籠から最大形状の網籠へ）と順に濾され、最後は排水が船の甲板上へ排出され、その浄化された排水は船外へ自然落下する。以上により濾し取られた海苔葉やその他の付着物は遠心分離機にかけ、水分を消失させた後陸上へ搬送し、環境面に配慮して処分する。遠心分離機より出る排水は濾し取り装置部１０へ入れる。
【００２３】
【発明の効果】
本発明の「筒を利用した海苔網洗浄装置」は、不要な海苔葉やその他の付着物を船上で取り除くので海苔網の重量が軽減され運搬作業などが楽になる。また水分を含んだ海苔葉やその他の付着物の付いた海苔網を陸上に持ち込まないので海苔葉やその他の付着物の腐敗臭などによる地域住民からの苦情を解消できる。尚、不要な海苔葉やその他の付着物を海中に投棄しないので環境汚染を防止できる。
【図面の簡単な説明】
【図１】  本発明の実施例を示す平面図である。
【図２】  本発明の実施例を示す斜視図である。
【図３】  図１のＡ−Ｂ部断面図である。
【図４】  濾し取り装置部１０の各網籠の斜視図である。
【図５】  図４の各網籠を組み合わせた斜視図である。
【符号の説明】
１      架台
２      巻き取りローラー
３      筒部
４      ノズル
５      ノズル
６      ノズル
７      ノズル
８      噴流受け部
９      移送ホース（ビニールホース）
１０      濾し取り装置部
１１      海苔網
▲ア▼      筒部の海苔網入口
▲イ▼      筒部の海苔網出口
▲ウ▼      隘路
▲エ▼      開口
【図１】
0004606649.tif 000002
【図２】
0004606649.tif 000003
【図３】
0004606649.tif 000004
【図４】
0004606649.tif 000005
【図５】
0004606649.tif 000006